(57)【要約】【課題】幅整合部材によりシートに負荷を加えない状態で、斜行規制できる位置に幅整合部材を固定することができるシート給送装置及び記録装置を提供すること。【解決手段】幅整合手段が移動可能な時、シート突き当て手段は、幅整合手段の幅整合面から突出した状態で、記録シートに当接し、幅整合手段の位置が固定される動作と連動して、シート突き当て手段が幅整合面から後退することで、記録シートに対する当接を解除する。【選択図】図９
2013001559.tif 000002
【特許請求の範囲】
【請求項１】
シートを載置する給紙台と、
給送方向と交差する前記シートの幅方向端部を規制する幅整合面を有し、前記幅方向に移動可能に設けられた幅整合手段と、
前記給紙台に載置されたシート側に前記幅整合面から突出する突出位置と、前記給紙台に載置されたシート側に前記幅整合面から突出しない退避位置との間で移動可能に構成されたシート突き当て手段と、
前記シート突き当て手段を前記突出位置と前記退避位置との間で移動させる移動手段と、
前記シート突き当て手段を前記退避位置に移動させた前記移動手段が当接することにより前記幅整合手段の前記幅方向の移動を規制し、前記移動手段が前記シート突き当て手段を前記突出位置に移動させた際に、前記移動手段が離れることによって前記幅整合手段の前記幅方向の移動を許容する規制手段と、
を備えたことを特徴とするシート給送装置。
【請求項２】
前記移動手段は、給紙台に載置されたシートの上面を規制するシート上ガイドであることを特徴とする請求項１に記載のシート給送装置。
【請求項３】
前記シート上ガイドはシートの上面を規制する規制位置とシートの上面を規制しない規制解除位置との間で移動可能に構成され、前記シート上ガイドが前記規制解除位置に位置した際、前記シート突き当て手段が前記幅整合手段の前記幅整合面から突出すると共に、前記幅整合手段の移動が許容されることを特徴とする請求項２に記載のシート給送装置。
【請求項４】
前記シート上ガイドは、前記シートの幅方向に交差する方向に延在した回転軸を有し、該回転軸を中心に回動することを特徴とする請求項２又は請求項３に記載のシート給送装置。
【請求項５】
前記幅方向に延在した案内軸を備え、
前記幅整合手段が、前記案内軸に沿って移動可能であることを特徴とする請求項１ないし請求項４のいずれか１項に記載のシート給送装置。
【請求項６】
前記幅整合手段はフック形状部材を備え、前記案内軸に前記フック形状部材のフック部が掛けられており、前記シート上ガイドが前記規制位置に位置した際、前記フック形状部材が前記案内軸を締め付け、前記シート上ガイド前記規制解除位置に位置した際、前記フック形状部材による前記案内軸への締め付けが解除されることを特徴とする請求項２ないし請求項５のいずれか１項に記載のシート給送装置。
【請求項７】
前記シート上ガイドは突起部材を備え、前記シート上ガイドが前記規制位置に位置した際、前記突起部材は、前記フック形状部材に当接することによって前記フック形状部材により前記案内軸を締め付けさせ、前記シート上ガイドが前記規制解除位置に位置した際、前記突起部材は、前記フック形状部材から離れることによって前記フック形状部材による前記案内軸への締め付けを解除させることを特徴とする請求項２ないし請求項６のいずれか１項に記載のシート給送装置。
【請求項８】
前記シート上ガイドが前記規制解除位置に位置した際、前記シート突き当て手段が前記幅整合面から前記給紙台に載置されたシート側に突出するように、前記シート突き当て手段を付勢する付勢手段を備えることを特徴とする請求項２ないし請求項７のいずれか１項に記載のシート給送装置。
【請求項９】
前記シート突き当て手段は、前記幅整合手段の前記幅整合面に交差する方向に移動可能に構成され、前記シート上ガイドが前記規制位置に位置した際、前記シート上ガイドに設けられた前記突起部材が、前記シート突き当て手段に当接することによって、前記シート突き当て手段が退避位置に移動することを特徴とする請求項２ないし請求項８のいずれか１項に記載のシート給送装置。
【請求項１０】
請求項１ないし請求項９のいずれか１項に記載のシート給送装置と、該シート給送装置により、給送されるシート材に画像を形成する画像形成手段と、を備えることを特徴とする記録装置。
【発明の詳細な説明】
【技術分野】
【０００１】
本発明は、シート側端部を規制して、シート給送するシート給送装置と、このシート給送装置を備えた記録装置とに関する。
【背景技術】
【０００２】
従来から、画像形成部でシートに画像を形成する記録装置においては、画像形成部にシートを給送するシート給送装置を備えている。このようなシート給送装置では、シート給送装置から画像形成部に給送されるシートが傾いたり、幅方向に位置がずれないようにシート給送装置の給紙トレイ上に１対の幅整合部材を設けている。この１対の幅整合部材は、任意のサイズのシートを給送できるように、シートの幅方向（給送方向に交差する方向）へ移動できるようになっており、ユーザーに移動させられて、シートを挟んで幅整合し、傾きを修正して位置決めをする。
【０００３】
しかし、その一対の幅整合部材をシートの幅に合わせた位置に移動させる時、幅整合部材の移動抵抗が大きいと、幅整合部材をシートの幅に合わせるのが困難であり、力を入れ過ぎて、勢い余ってシートの幅よりも狭く位置決めすることがある。このような場合、シートは、反って盛り上がったり、折れ曲がった状態で幅整合部材に保持されたりして、かえって傾きや幅方向の位置ずれの原因になることがあった。
【０００４】
逆に、幅整合部材の移動抵抗が小さいと、シート給送装置が給送動作を行っている間に、幅整合部材が、シートによって外側へ押し広げられることがある。この場合もシートの傾きや幅方向の位置ずれの原因になる。
【０００５】
このような不具合を解決する為に、特許文献１で提案されているシート給送装置では、給紙トレイのカバーの開閉にともなって、幅整合部材を移動自在な状態と移動規制した状態とに切り替えることが行なわれている。そして、その切り替えによって、シートの幅整合時には幅整合部材の移動抵抗を小さくするとともに、幅整合後は幅整合した幅整合部材の整合位置に固定させることでずれを防止している。
【先行技術文献】
【特許文献】
【０００６】
【特許文献１】特開２００８−２９０８０８号公報
【発明の概要】
【発明が解決しようとする課題】
【０００７】
しかしながら、特許文献１においても、シート側端部と幅整合部材との間に遊びが無い状態で幅整合部材を固定してしまうと、シートを給送する際の搬送抵抗が増えてしまう場合があった。
【０００８】
そこで本発明は、幅整合部材によりシートに負荷を加えない状態で、斜行規制できる位置に幅整合部材を固定することができるシート給送装置及び記録装置を提供することを目的とする。
【課題を解決するための手段】
【０００９】
そのため本発明のシート給送装置は、シートを載置する給紙台と、給送方向と交差する前記シートの幅方向端部を規制する幅整合面を有し、前記幅方向に移動可能に設けられた幅整合手段と、前記給紙台に載置されたシート側に前記幅整合面から突出する突出位置と、前記給紙台に載置されたシート側に前記幅整合面から突出しない退避位置との間で移動可能に構成されたシート突き当て手段と、前記シート突き当て手段を前記突出位置と前記退避位置との間で移動させる移動手段と、前記シート突き当て手段を前記退避位置に移動させた前記移動手段が当接することにより前記幅整合手段の前記幅方向の移動を規制し、前記移動手段が前記シート突き当て手段を前記突出位置に移動させた際に、前記移動手段が離れることによって前記幅整合手段の前記幅方向の移動を許容する規制手段と、を備えたことを特徴とする。
【発明の効果】
【００１０】
本発明によれば幅整合手段が移動可能な時、シート突き当て手段は、幅整合手段の幅整合面から突出した状態で記録シートに当接し、幅整合手段の位置が固定される動作と連動して、シート突き当て手段が幅整合面から後退することで、記録シートに対する当接を解除する。これによって、シートに負荷を加えない状態で、斜行規制できる位置に幅整合部材を固定することが手間なく、容易にできるシート給送装置及び記録装置を実現することができる。
【図面の簡単な説明】
【００１１】
【図１】本実施形態を適用可能なインクジェット記録装置の側面図である。
【図２】図１のインクジェット記録装置の上面図である。
【図３】インクジェット記録装置で用いられるロールガイドを示した図である。
【図４】インクジェット記録装置のシート給紙部を示した図である。
【図５】パソコンをインクジェット記録装置との接続を示したブロック図である。
【図６】インクジェット記録装置における記録処理を示したフローチャートである。
【図７】シート給送装置を示した斜視図である。
【図８】シート給送装置を示した斜視図である。
【図９】（ａ）、（ｂ）、（ｃ）、（ｄ）は、可動側幅規制ユニットのシート上ガイドとシート突き当て部材４の関係を示した図である。
【図１０】（ａ）、（ｂ）は可動側幅規制ユニットのシート上ガイドの突起形状部材と幅整合部材のフック形状部材の関係を示した図である。
【図１１】（ａ）、（ｂ）は、本実施形態におけるシート上ガイドを開閉状態を示した図である。
【発明を実施するための形態】
【００１２】
（第１の実施形態）
以下、図面を参照して本発明の第１の実施形態について説明する。
【００１３】
図１は、本実施形態を適用可能なインクジェット記録装置の側面図であり、図２は、図１のインクジェット記録装置の上面図である。インクジェット記録装置２００は、ロールシート１０２が収納されるシート給紙部１０６と、シート（シート材または記録用紙）の給紙方向と交差する幅方向の位置を規制するシート給送装置１０１と、シートを搬送する搬送機構１０３と、を備えている。さらにインクジェット記録装置２００は、搬送機構１０３によって搬送されたシート上にインクジェット方式で画像形成する記録ヘッド１０４と、記録ヘッド１０４の安定した吐出を維持する為のキャッピング機構１１２と、を備えている。さらにインクジェット記録装置２００は、記録ヘッド１０４へのインク供給や回復動作のためのポンプユニット１１３と、画像が記録されたシートが排出される排出口で、シートを切り離すカッターユニット１０５が備えられている。
【００１４】
次に、本実施形態のインクジェット記録装置の動作について説明する。  
図３は、インクジェット記録装置２００で用いられるロールガイド１０７を示した図であり、図４は、インクジェット記録装置２００のシート給紙部１０６を示した図である。インクジェット記録装置２００のシート給紙部１０６には、図３に示すように、ロール状に巻かれたロールシート１０２の巻き芯１０８がロールガイド１０７に固定された状態で収納される。ロールシート１０２は、図４に示すように、両端を軸受１０９で支持されたスプール軸１１０を中心に回転可能にセットされる。
【００１５】
ロールシート１０２から引き出されたシートは、シート給送装置１０１で、シートの幅方向の位置を規制され、図１及び図２において、右から左へ、搬送ベルトでシート搬送する搬送機構１０３にセットされる。
【００１６】
図５は、パソコンをインクジェット記録装置との接続を示したブロック図である。パソコン１２０から送信された記録データ、コマンドは、制御手段１３０を通して、記録ヘッド１０４、ロール駆動手段１１４、搬送駆動手段１１５、吸引ファン１３３、シート先端検知手段１１１に送信される。
【００１７】
図６は、本実施形態のインクジェット記録装置２００における記録処理を示したフローチャートである。ステップＳ００１でパソコン１２０から記録装置１００に、記録データ、印刷コマンドが送信されると、ステップＳ００２で搬送機構１０３の吸引ファン１３３が駆動する。その直後にシートのたるみを取る為、ステップＳ００３でロール駆動手段１１４が駆動し、スプール軸１１０を回転させ、ロールシート１０２を巻き取る。ステップＳ００４でロール駆動手段１１４が停止後、ステップＳ００５で搬送駆動手段１１５がシート搬送方向に駆動する。搬送ベルト１１６にシートが吸着され、吸着されたシートは、ステップＳ００６で先端検知手段１１１にて、先端を検知され、シートを所定量搬送し、ステップＳ００７で記録ヘッド１０４により、シート上に所定の画像を記録する。印刷動作後、記録装置正面に配置された排出口からシートを排出し、排出口に配置されたカッターユニット１０５により、シートを切り離すことが可能になっている。そしてステップＳ００８で搬送モータを停止して、ステップＳ００９で吸引ファンを停止する。
【００１８】
図７及び図８は、シート給送装置を示した斜視図である。シート給送装置１０１は、シートが載置される給紙台１と、給紙台１に載置されたシートの上面を規制する開閉可能に設けられたシート上ガイド２（移動手段）と、を備えている。このシート上ガイド２は閉じたときに（図９（ｂ）の状態）、給紙台１に載置されたシートの上面を規制するガイド部材として機能する。さらにシート給送装置１０１は、給紙台１に載置されたシートの給送方向に沿った側端を整合するためにシートの幅方向に設けられた幅整合部材３を備えている。さらにシート給送装置１０１は、給紙台１に載置されたシートと幅整合部材３との間にシート側端部に負荷を加えない状態で斜行規制できる隙間を設けるためのシート突き当て部材４と、シート突き当て部材４を後述する通紙側に付勢する弾性部材５（付勢手段）とを備えている。
【００１９】
幅整合部材３とシート上ガイド２とを備えた幅規制ユニットは、可動側と固定側がシートの両側にあり、固定側の幅規制ユニット２１は給紙台１にビス固定されている。可動側の幅規制ユニット２０は、シートの幅方向に延在した案内軸７に沿って移動可能に設けられており、シート上ガイド２は、幅整合部材３のシート上ガイド取付け軸１０を中心に給紙台１に対して１２０°開閉可能に取り付けられている。また幅規制ユニットは、シート突き当て部材４と、シート突き当て部材４を通紙側（給紙台１に載置されたシート側）付勢する弾性部材５を備えている。
【００２０】
図９（ａ）から（ｄ）は、可動側幅規制ユニット２０のシート上ガイド２とシート突き当て部材４の関係を示した図で、図１０（ａ）、（ｂ）は可動側幅規制ユニット２０のシート上ガイド２の突起形状部材６（移動手段）と幅整合部材３のフック形状部材８（規制手段）の関係を示した図である。図９（ａ）、（ｂ）に示すように、幅方向に交差する方向に延在した回転軸（シート上ガイド取付け軸１０）を中心にシート上ガイド２を回動させて開く（シート上ガイド２をシートの上面を規制しない規制解除位置に移動する）と、幅整合部材３に保持されたシート突き当て部材４のストッパーとなっていたシート上ガイド２の突起部材６がシート突き当て部材４の穴部４ａから離れる。これによって、弾性部材５により、シート突き当て部材４が幅整合部材３の幅整合面（シート側端に当接する面）から通紙側（幅整合面に対して給紙台１に載置されたシート側）に突出しない退避位置から幅整合面から通紙側に突出する突出位置に移動させられることにより、幅整合部材３の幅整合面から幅整合面に交差する方向に突き出した状態となる。それと連動して、図１０（ａ）に示すように、可動側幅規制ユニット２０の移動方向に延在した案内軸７を締め付けている幅整合部材３のフック形状部材（フック部）８が緩まり、可動側幅規制ユニット２０の移動規制が解除され、可動側幅規制ユニット２０の移動が許容される。なお、フック形状部材８はＵ字形状部材であって、一方端は突起部材６が当接する当接部を有し、他方端は幅整合部材３の本体に固定されている。また、Ｕ字形状部材の凹部に案内軸７が入り込んでおり（案内軸７がフック部に掛けられており）、このことにより、可動側幅規制ユニット２０が案内軸７に沿って幅方向に移動可能となっている。フック形状部材８の一方端である当接部に突起部材６が当接することによりフック形状部材８の一方端が案内軸７を締め付ける方向に撓み案内軸７を締め付ける。また、フック形状部材８の一方端である当接部から突起部材６が離れることによりフック形状部材８一方端による案内軸７の締め付けが解除される。
【００２１】
シートを給紙台１に載置し、可動側幅規制ユニット２０をスライドさせ、シート突き当て部材４をシート側端部に当接させた位置にてスライドを停止させ、その後シート上ガイド２を閉じることにより可動側幅規制ユニット２０を給紙台１に対して固定させる。すると、図９（ｃ）、（ｄ）のように、回転軸（シート上ガイド取付け軸１０）を中心にシート上ガイド２を回動させて閉じる（シートの上面を規制する規制位置に移動する）と、シート上ガイド２の突起部材６がシート突き当て部材４の穴部４ａに入り込むことによってシート突き当て部材４を突出位置から退避位置に移動させる。シート突き当て部材４を退避させることで、シート突き当て部材４とシートとの間に、給紙時に最適な隙間を設け、シートに負荷を加えない状態で斜行規制することができる。本実施形態では、隙間を０．２ｍｍから０．４ｍｍとした。
【００２２】
シート突き当て部材４を退避させると同時に、図１０（ｂ）に示すように、シート上ガイド２の突起部材６が幅整合部材３のフック形状部材８に当接することにより、幅整合部材３のフック形状部材８が案内軸７を締め付ける方向に押し付けられ、可動側幅規制ユニット２０が移動規制される。
【００２３】
この構成により、シートの幅整合時に、シートとシート突き当て部の視認性が良くなると共に、シート突き当て部材４をシート側端部に突き当て、シート上ガイド２を閉じると、シート突き当て部材４が幅整合部材３の幅整合面から退避し退避すると同時に幅整合部材３が固定されるので、手間なく容易に、シートに負荷を加えない状態で斜行規制できる位置に幅整合部材３を固定することができる。
【００２４】
(第２の実施形態)
以下、図面を参照して本発明の第２の実施形態を説明する。なお、本実施形態の基本的な構成は第１の実施形態と同様であるため、以下では特徴的な構成についてのみ説明する。
【００２５】
第１の実施形態においては、シート上ガイド２を開くと、シート突き当て部材４のストッパーとなっていたシート上ガイド２の突起部材６がシート突き当て部材４から離れる。そのため、弾性部材５により、シート突き当て部材４が通紙側に突き出し、幅整合部材３の幅整合面からシート突き当て部材４が、突き出した状態となっていた。
【００２６】
図１１（ａ）、（ｂ）は、本実施形態におけるシート上ガイド２の開閉状態を示した図である。本実施形態では、シート突き当て部材４を通紙側に突き出していた弾性部材５を無くし、図１１に示すように、シート上ガイド２の内側に突き出しリブ９を追加する。そして、この突き出しリブ９は、シート上ガイド２が開くことによりシート突き当て部材４に突き当たり、シート突き当て部材４を、幅整合部材３の幅整合面から突出しない退避位置から幅整合面から通紙側突出する突出位置に移動させる。
【００２７】
図１１（ａ）に示すように、シート上ガイド２が回動して開くと、シート上ガイド２の内側に設けた突き出しリブ９がシート突き当て部材４を通紙側に突き出す。それと同時に、図１０（ａ）に示すように、可動側幅規制ユニット２０の移動方向に設けられた軸７を締め付けている幅整合部材３のフック形状部８が緩まり、可動側幅規制ユニット２０の移動規制が解除される。
【００２８】
シートを給紙台１に載置し可動側幅規制ユニット２０をスライドさせ、シート突き当て部材４をシート側端部に合わせ、シート上ガイド２が閉じられると、図１１（ｂ）に示すようにシート上ガイド２の突き出しリブ９が、シート突き当て部材４の穴部４ａに入り込むことでシート突き当て部材４を突出位置から退避位置に移動させることによって、シート突き当て部材４の突き出しを解除する。退避させると同時に、図１０（ｂ）に示すように、シート上ガイド２の突起部材６により、幅整合部材３のフック形状部材８が軸７を締め付ける方向に押し付けられ、可動側幅規制ユニット２０が移動規制される。
【００２９】
この構成でも、シートの幅整合時に、シートとシート突き当て部の視認性が良くなる。またこれと共に、シートつきあて部材４をシート側端部に突き当て、シート上ガイド２を閉じると、シート突き当て部材４が幅整合部材３の幅整合面から退避すると同時に幅整合部材３が固定される。よって、手間なく容易に、シートに負荷を加えない状態で斜行規制できる位置に幅整合部材３を固定することができる。
【符号の説明】
【００３０】
１  給紙台
２  シート上ガイド
３  幅整合部材
４  シート突き当て部材
５  弾性部材
６  突起部材
９  突き出しリブ
１０  シート上ガイド取付け軸
２０  可動側幅規制ユニット
１０１  シート給送装置
２００  インクジェット記録装置
【図１】
2013001559.tif 000003
【図２】
2013001559.tif 000004
【図３】
2013001559.tif 000005
【図４】
2013001559.tif 000006
【図５】
2013001559.tif 000007
【図６】
2013001559.tif 000008
【図７】
2013001559.tif 000009
【図８】
2013001559.tif 000010
【図９】
2013001559.tif 000011
【図１０】
2013001559.tif 000012
【図１１】
2013001559.tif 000013